(57)【要約】【課題】  簡単かつ迅速に履いたり脱いだりすることができ、締め付け力の調節も迅速かつ容易な靴を提供すること。【解決手段】  本発明は、履き口１３の前方の甲部開口１３ａを覆うようにアッパー１２の最上部に配置されたタン２０と、当該タン２０の上面側に装着された靴紐巻取装置３０と、を備え、前記タン２０の下端部を爪先部付近のアッパー１２に固定し、前記タン２０の上部両端部と履き口１３下部付近のアッパー１２との間に靴紐Ｗを挿通し、前記靴紐巻取装置３０を操作することで、当該タン２０の上部両端部をソール１１側へ引き寄せ、前記履き口１３付近の甲部を斜め下方へ締め付けるようにした靴Ｓ１である。【選択図】図１
2017169773.tif 000002
【特許請求の範囲】
【請求項１】
履き口の前方の甲部開口を覆うようにアッパーの最上部に配置された略逆二等辺三角形状のタンと、
当該タンの上面側に装着された靴紐巻取装置と、
を備え、
前記タンの下端部を甲の上部のアッパーに固定し、
前記タンの上部両端部と履き口下部付近のアッパーとの間に靴紐を挿通し、
前記靴紐巻取装置を操作することで、当該タンの上部両端部をソール側へ引き寄せ、
前記履き口付近の甲部を斜め下方へ締め付けるようにしたことを特徴とする靴。
【請求項２】
履き口の前方の甲部開口を覆うようにアッパーの最上部に配置されたタンと、
当該タンの上面側に装着された靴紐巻取装置と、
を備え、
前記タンの下端部を甲の上部のアッパーに固定し、
前記タンの上部両端部と履き口下部付近のアッパーとの間に靴紐を挿通し、
前記靴紐巻取装置を操作することで、当該タンの上部両端部をソール側へ引き寄せ、
前記履き口付近の甲部を斜め下方へ締め付けるようにしたことを特徴とする靴。  
【請求項３】
前記タンは、上端側が上方へ立ち上がるように立体縫製されていることを特徴とする請求項１又は２に記載の靴。
【請求項４】
前記靴紐は、前記タンの上部両端部間に挿通され、当該タンの上部両端部から引き出された後、履き口下部付近のアッパーに固定された略Ｕ字状の靴紐ガイドによって折り返され、前記タンの中央部付近を通過して前記靴紐巻取装置に戻されるようになっていることを特徴とする請求項１〜３の何れか一項に記載の靴。
【請求項５】
前記略Ｕ字状の靴紐ガイドは、その２つの靴紐引出口が、それぞれ甲部の傾斜側に向いて開口し、かつ、踵側の靴紐引出口の方が爪先側の靴紐引出口より高い位置に配置されていることを特徴とする請求項４に記載の靴。
【請求項６】
履き口の前方の甲部開口を覆うようにアッパーの最上部に配置されたタンと、
当該タンの上面側に装着された靴紐巻取装置と、
を備え、
前記タンの両端部と履き口下部付近のアッパーとの間に靴紐を挿通し、
前記靴紐巻取装置を操作することで、当該タンの両端部をソール側へ引き寄せ、
前記履き口付近の甲部を斜め下方へ締め付けるようにしたことを特徴とする靴。
【請求項７】
前記靴紐は、前記タンの内部に配置された細長いチューブ状の靴紐ガイド内に挿通されており、締め付け状態において外部への露出が抑制されていることを特徴とする請求項１〜６の何れか一項に記載の靴。
【請求項８】
前記靴紐巻取装置は、靴紐を巻き取るために内蔵されたリールを回転操作するためのハンドルを引き上げることで靴紐の締め付け状態を解除するように構成されていることを特徴とする請求項１〜７の何れか一項に記載の靴。
【請求項９】
前記靴紐巻取装置は、前記タンの略中央位置に配置固定されていることを特徴とする請求項１〜８の何れか一項に記載の靴。
【発明の詳細な説明】
【技術分野】
【０００１】
本発明は、簡単かつ迅速に履いたり脱いだりすることができ、締め付け力の調節も迅速かつ容易な靴に関するものである。
【背景技術】
【０００２】
従来、靴紐を結んだり解いたりすることが困難であるような老人であっても容易に履いたり脱いだりすることができる靴として、甲部開口を覆うタンを面ファスナーにてアッパーに固定するようにした靴が提案されている（特許文献１、２）。
しかしながら、このような靴における面ファスナーは、互いに軽く触れ合うだけで強く貼り付いてしまって靴の締め付け具合を調節しにくいという問題や、剥がすのにかなりの力を要する場合があるという問題がある。
【０００３】
そこで、靴紐を結んだり解いたりする必要のない靴として、スライド式のファスナーを用いた靴が提案されている（特許文献３）。
かかるスライド式のファスナーを備えた靴においては、履き口を簡単に大きく開くことができるが、ファスナーを上部まで引き上げた場合には締め付け力を調節しにくいという問題や、ファスナーを途中まで引き上げた状態で使用すると、外観が悪いという問題や、靴が脱げてしまうおそれがあるという問題があった。
【０００４】
一方、靴紐による締め付け力の調節を迅速かつ容易に行うことができる靴として、ハンドル（円盤状のダイヤル）を操作することで靴紐を締め付けたり、靴紐による締め付けを簡単に解除できる靴紐巻取装置を備えた靴が提案されている（特許文献４）。
しかしながら、かかる靴紐巻取装置を備えた靴においては、靴紐によって爪先付近まで足を締め付けることができるように、甲部に複数対の靴紐ガイドを装着し、靴紐を複数回往復させて靴紐ガイドに靴紐を挿通しており、かつ、タンをアッパーの内側に配置しているため、靴紐巻取装置による靴紐の締め付けを解除しても、甲部における足の締め付けを直ちに緩めきることは難しかった。また、靴紐巻取装置による靴紐の締め付けを解除しても、アッパーの内側にタンが配置されているため、履き口が直ちに大きく開くものではない。
【先行技術文献】
【特許文献】
【０００５】
【特許文献１】実用新案登録第３０５３５８７号公報
【特許文献２】実用新案登録第３０９６８６０号公報
【特許文献３】特開２００１−１０４０１０号公報
【特許文献４】特開２０１５−２９３号公報
【発明の概要】
【発明が解決しようとする課題】
【０００６】
そこで、本発明が解決しようとする主たる課題は、ハンドルを操作することで、靴紐による締め付け力の調節を迅速かつ容易に行うことができ、かつ、靴紐による締め付けを簡単に解除できる靴紐巻取装置を備えた靴において、靴紐巻取装置による靴紐の締め付けを解除しても、甲部における足の締め付けを一度に緩めきることが難しいこと、および、靴紐巻取装置による靴紐の締め付けを解除しても、履き口を直ちに大きく開けられないことである。
【０００７】
よって、本発明の目的は、上記従来の靴における課題を解決し、靴紐巻取装置による靴紐の締め付けを解除することで、履き口を直ちに大きく拡げることができる靴を提供することにある。
本発明の他の目的は、タンを左右共通部品としたり、タンによる甲部の締め付けをバランス良く行うことができ、機能性のみならず外観デザイン上も優れた靴を提供することにある。
【０００８】
さらに、本発明の他の目的は、タンの上端部が立ち上がり、履き口を開いた状態を維持することができ、履き易い靴を提供することにある。
本発明の他の目的は、靴紐が緩められた場合にも靴紐の外部への露出を最小限に抑えることができる靴を提供することにある。
【０００９】
本発明の他の目的は、甲部の両側のアッパー上に複数対の靴紐ガイドを固定して甲部上に靴紐を縫うように何度も折り返すように配置する必要がなく、甲部の締め付けを速やかに緩めて履いたり脱いだりすることができる靴を提供することにある。
【００１０】
また、本発明の他の目的は、タンの上端部を踵方向へスムーズに、かつ、効率良く引き寄せることができるように靴紐ガイドを配置した靴を提供することにある。
本発明の他の目的は、靴紐巻取装置のハンドルを引き上げて靴紐による締め付けを解除すると同時にタンを上方へ引き上げて履き口を拡げることができる靴を提供することにある。
【課題を解決するための手段】
【００１１】
本発明は、「履き口の前方の甲部開口を覆うようにアッパーの最上部に配置された略逆二等辺三角形状のタンと、当該タンの上面側に装着された靴紐巻取装置と、を備え、
前記タンの下端部を甲の上部のアッパーに固定し、前記タンの上部両端部と履き口下部付近のアッパーとの間に靴紐を挿通し、前記靴紐巻取装置を操作することで、当該タンの上部両端部をソール側へ引き寄せ、前記履き口付近の甲部を斜め下方へ締め付けるようにした靴。」を主要な特徴とするものである。
【００１２】
また、本発明は、「履き口の前方の甲部開口を覆うようにアッパーの最上部に配置されたタンと、当該タンの上面側に装着された靴紐巻取装置と、を備え、
前記タンの下端部を甲の上部のアッパーに固定し、前記タンの上部両端部と履き口下部付近のアッパーとの間に靴紐を挿通し、前記靴紐巻取装置を操作することで、当該タンの上部両端部をソール側へ引き寄せ、前記履き口付近の甲部を斜め下方へ締め付けるようにした靴。」を主要な特徴とするものである。
【００１３】
本発明の靴において、前記タンは、上端側が上方へ立ち上がるように立体縫製されているものであってもよい。
本発明の靴において、前記靴紐は、前記タンの上部両端部間に挿通され、当該タンの上部両端部から引き出された後、履き口下部付近のアッパーに固定された略Ｕ字状の靴紐ガイドによって折り返され、前記タンの中央部付近を通過して前記靴紐巻取装置に戻されるようになっているものであってもよい。
本発明の靴において、前記略Ｕ字状の靴紐ガイドは、その２つの靴紐引出口が、それぞれ甲部の傾斜側に向いて開口し、かつ、踵側の靴紐引出口の方が爪先側の靴紐引出口より高い位置に配置されているものであってもよい。
【００１４】
本発明の靴は、履き口の前方の甲部開口を覆うようにアッパーの最上部に配置されたタンと、当該タンの上面側に装着された靴紐巻取装置と、を備え、
前記タンの両端部と履き口下部付近のアッパーとの間に靴紐を挿通し、前記靴紐巻取装置を操作することで、当該タンの両端部をソール側へ引き寄せ、前記履き口付近の甲部を斜め下方へ締め付けるようにした靴であってもよい。
本発明の靴において、前記靴紐は、前記タンの内部に配置された細長いチューブ状の靴紐ガイド内に挿通されており、締め付け状態において外部への露出が抑制されているものであってもよい。
【００１５】
本発明の靴において、前記靴紐巻取装置は、靴紐を巻き取るために内蔵されたリールを回転操作するためのハンドルを引き上げることで靴紐の締め付け状態を解除するように構成されているものであってもよい。
本発明の靴において、前記靴紐巻取装置は、前記タンの略中央位置に配置固定されているものであってもよい。
【発明の効果】
【００１６】
上記のように構成した本発明の靴においては、タンの上部両端部と履き口下部付近のアッパーとの間の靴紐を緩めてアッパーの最上部に配置されたタンの先端側（履き口側）を引き上げることで、甲部に対する締め付け状態を速やかに解除し、履き口を簡単かつ速やかに開いて靴を履くことができるようになる。
この靴紐を緩める操作についても、結ばれた靴紐を解くというような細かい操作を要することなく、靴紐巻取装置を操作することで、簡単かつ速やかに行うことができる。
【００１７】
従って、本発明の靴においては、靴紐巻取装置を操作することで、簡単かつ速やかにタンの先端側を引き上げて靴を脱ぐことができる。
このため、本発明の靴は、一般用の靴としてばかりではなく、幼児、子供、老人、要介護者などに適した靴としても好適に使用することができる。
また、本発明の靴は、部品点数を少なくすることができ、靴の製造に際しても、多くの靴紐ガイドを固定したり、多くの靴紐ガイドに靴紐を縫うように挿通する作業を省略することができる。
【００１８】
本発明の靴において、タンの形状を略逆二等辺三角形状とすることで、タンを左右共通部品としたり、タンによる甲部の締め付けをバランス良く行うことができ、機能性のみならず外観デザイン上も優れたものとすることができる。
さらに、本発明の靴において、前記タンが、その上端側が上方へ立ち上がるように立体縫製されているものとすることで、靴紐を緩めた際に履き口が開いた状態を維持することができ、靴を履いたり脱いだりする際にタンが邪魔にならず、要介護者用の靴としても便利に用いることができる。
【００１９】
本発明の靴において、前記靴紐が、前記タンの上部両端部間に挿通され、当該タンの上部両端部から引き出された後、履き口下部付近のアッパーに固定された略Ｕ字状の靴紐ガイドによって折り返され、前記タンの中央部付近を通過して前記靴紐巻取装置に戻されるようにした場合には、タンの上部両端部を踵部付近に向けてバランス良くしっかりと引き寄せ、甲部を締め付けることができる。
本発明の靴において、前記略Ｕ字状の靴紐ガイドの２つの靴紐引出口が、それぞれ甲部の傾斜側に向いて開口し、かつ、踵側の靴紐引出口の方が爪先側の靴紐引出口より高い位置に配置されているものとすることで、靴紐と靴紐ガイドとの摩擦抵抗を低減し、スムーズに靴紐の巻き取りと引き出しを行うことができ、タンの上部両端部の斜め方向への移動をスムーズに行うことができる。
また、靴紐や靴紐ガイドに加えられるストレス及びダメージを最小限に抑えることができる。
【００２０】
本発明の靴において、前記靴紐が、前記タンの内部に配置された細長いチューブ状の靴紐ガイド内に挿通されており、締め付け状態において外部への露出が抑制されているものとした場合には、靴紐が緩められた場合にも靴紐の外部への露出を最小限に抑えることができ、靴紐が引っ掛かることを抑制することができる。
従って、要介護者用の靴としても利便性及び安全性に優れ好適に用いることができる。
【００２１】
本発明の靴において、前記靴紐巻取装置が、靴紐を巻き取るために内蔵されたリールを回転操作するためのハンドルを引き上げることで靴紐の締め付け状態を解除するように構成されているものとした場合には、靴紐による締め付けの解除と同時にタンを持ち上げて履き口を拡げる操作を行うことができ（ワンアクション）、靴を脱ぐための操作を簡単かつ迅速に行うことができる。また、前記靴紐巻取装置が誤って靴紐を解放してしまうことを防ぐこともできる。
本発明の靴において、前記靴紐巻取装置が、前記タンの略中央位置に配置固定されているものとすることで、靴紐巻取装置が邪魔にならず、操作し易いばかりか、タンを引き上げる操作をバランス良く、かつ、効率良く行うことができる。
【図面の簡単な説明】
【００２２】
【図１】図１は本発明を具体化した一実施形態の靴を示す平面図である。
【図２】図２は本発明の靴に用いることができる靴紐巻取装置の一例を示す断面図であって、（Ａ）はハンドルによって靴紐を巻き取って靴を締め付けることができる状態を示す断面図であり、（Ｂ）はハンドルを引き上げて靴紐による靴の締め付けを解除できる状態を示す断面図である。
【図３】図３は本発明を具体化した一実施形態の靴を示す側面図である。
【図４】図４は本発明を具体化した一実施形態の靴のタンを構成する部品を示す平面図である。
【図５】図５は本発明を具体化した他の実施形態の靴のタンを示す平面図である。
【図６】図６は本発明を具体化した他の実施形態の靴を示す平面図である。
【図７】図７は本発明を具体化した他の実施形態の靴を示す側面図である。
【発明を実施するための形態】
【００２３】
本発明の靴は、「履き口の前方の甲部開口を覆うようにアッパーの最上部に配置されたタンと、当該タンの上面側に装着された靴紐巻取装置と、を備え、
前記タンの下端部を甲の上部のアッパーに固定し、前記タンの上部両端部と履き口下部付近のアッパーとの間に靴紐を挿通し、前記靴紐巻取装置を操作することで、当該タンの上部両端部をソール側へ引き寄せ、前記履き口付近の甲部を斜め下方へ締め付けるようにした靴。」であって、以下において説明する実施形態などにより好適に具体化することができる。
【００２４】
以下、本発明を具体化した一実施形態の靴Ｓ１について、図１〜図４に基づいて説明する。なお、各図は左足用の靴を示しているが、右足用の靴も左右対称形のものとして構成できるものである。
本発明の一実施形態の靴Ｓ１は、ソール１１上に固定されて足の爪先部、甲部及び踵部を覆う合成皮革製のアッパー１２と、当該アッパー１２の甲部上に固定されたタン２０とから構成されている。
前記アッパー１２は、その踵部において上方に開口する履き口１３を有しており、当該履き口１３の前方には、当該履き口１３を爪先側へ延長するようにして形成された甲部開口１３ａが設けられている。
【００２５】
前記タン２０は、略逆二等辺三角形状に形成されており、前記履き口１３の前方の甲部開口１３ａを覆うように前記アッパー１２の最上部に配置され、当該タン２０の下端部が甲の上部のアッパー１２に固定されている。
このように下端部の幅が細いタン２０を用いることで、タン２０に皺が生じることを防ぐこともできる。
【００２６】
前記タン２０のほぼ中央部における上面側には、靴紐巻取装置３０が固定されている。
従って、靴紐巻取装置３０を操作し易いものとすることができる。
かかる靴紐巻取装置３０とともに好適に使用することができる靴紐Ｗとしては、強度と低摩擦抵抗を得られるポリアミド系樹脂からなるワイヤー状の靴紐、又は、ステンレス製の素線を撚り合わせたワイヤーロープに樹脂被覆を施したワイヤー状の靴紐などが挙げられる。
また、前記タン２０の上端部付近と、前記タン２０のほぼ中央部には、それぞれ靴紐Ｗを挿通して案内することができる細長いチューブ状の靴紐ガイド４１，４２が左右方向を向いてほぼ平行に固定されている。
【００２７】
前記靴紐巻取装置３０は、図２に示すように、ベース部材３１、リール３２、円盤状のハンドル３３及びラチェット機構などから構成されており、前記ベース部材３１には靴紐Ｗを巻き取るためのリール３２を収納するための有底円筒状の収納部が形成されている。
前記ハンドル３３は、前記ベース部材３１に対して回転可能に装着されており、当該ハンドル３３を回転操作することで前記リール３２を回転駆動することができ、かつ、靴紐巻取装置３０に内蔵されたバネ部材による付勢力に抗してハンドル３３を上方へ引き上げることで、当該ハンドル３３とリール３２との係合状態を解除し、靴紐Ｗを直ちに簡単に緩めることができるようになっている。
かかる靴紐巻取装置３０としては、本件出願人による特願２０１３−１２７５７４号、特願２０１３−１２７６１２号などにて既に開示されており、商業的に入手可能なものを適宜選択して用いることができる。
【００２８】
前記履き口１３下部付近のアッパー１２には、当該アッパー１２の補強を図ることができるように、靴Ｓ１の踵部の両側に斜め方向を向いた帯状の表地１２ａが縫い付けられており、その帯状の表地１２ａの裏側に埋め込まれるようにして略Ｕ字状の靴紐ガイド４３が固定されている。
そして、前記靴紐Ｗは、前記タン２０の上部両端部間に挿通され、当該タン２０の上部両端部から引き出された後、略Ｕ字状の靴紐ガイド４３によって折り返され、前記タン２０の中央部付近を通過して前記靴紐巻取装置３０に戻されるようになっている。
従って、この実施形態の靴Ｓ１においては、図３（Ａ）に示すように、前記タン２０の上部を履き口１３側へ向けて斜め下方にバランス良くしっかりと引き寄せて靴Ｓ１を足に装着することができる。
【００２９】
即ち、前記靴紐巻取装置３０の前記ハンドル３３を回転操作することで、簡単かつ速やかに、靴紐Ｗによって当該タン２０の上部両端部をソール１１側へ引き寄せ、前記履き口１３付近の甲部を斜め下方へ締め付けることができる。
さらに、このような靴紐巻取装置３０を用いることで、靴紐Ｗによる締め付け具合をハンドル３３の回転量に応じて簡単に調節することができる。
【００３０】
なお、本実施形態において、前記略Ｕ字状の靴紐ガイド４３は、その２つの靴紐引出口４３ａ，４３ｂが、それぞれ甲部の傾斜側に向いて開口し、かつ、踵側の靴紐引出口４３ａの方が爪先側の靴紐引出口４３ｂより高い位置に配置されている。
従って、靴紐Ｗを前記略Ｕ字状の靴紐ガイド４３に対してスムーズに入れたり引き出すことができ、前記タン２０による履き口１３の開閉を効率良く迅速に行うことができる。
また、靴紐Ｗや靴紐ガイド４３にストレスやダメージを与えることを抑制することができる。
【００３１】
次に、上記一実施形態の靴Ｓ１を製造する方法について説明する。
まず、図１（Ｂ）に示すように、靴Ｓ１のアッパー１２には、靴の踵部の両側に対応して略Ｕ字状の靴紐ガイド４３を帯状の表地１２ａの裏側に配置して固定する。そして、そのアッパー１２をソール１１の上に従来公知の方法にて固定して一体化する。
また、図４に示すように、前記タン２０を製造するために、略逆二等辺三角形状の表地２１と、Ｖ字状の表地２２と、略逆二等辺三角形状のクッション性を備えた裏地２３と、長短２種類の細長いチューブ状の靴紐ガイド４１，４２を用意する。
【００３２】
そして、前記Ｖ字状の表地２２の上部を開くようにして略逆二等辺三角形状の表地２１に縫い付けることで、タン２０の上端側が起き上がるように立体縫製する。
これにより、靴紐Ｗを緩めた際に履き口１３が開いた状態を維持し易くなり、履き易く脱ぎ易い靴とすることができる。
【００３３】
さらに、長い方のチューブ状の靴紐ガイド４１をタン２０の上端部に沿うように左右方向に向けて配置し、靴紐巻取装置３０のベース部材３１をタン２０の中央部に配置し、その左右両側において前記長い方のチューブ状の靴紐ガイド４１とほぼ平行となるように２本の短い方のチューブ状の靴紐ガイド４２を配置し、それらを表地２１，２２と裏地２３との間に縫い込んで固定する。
従って、靴紐Ｗが締め付けられた状態において、靴紐Ｗが外部に露出する部分は、前記タン２０の上部両端部と略Ｕ字状の靴紐ガイド４３との間の極めて限定的な部分となり、靴紐Ｗが緩められた状態においても、靴紐Ｗが外部に露出することを抑制することができる。そのため、靴Ｓ１は要介護者用の靴としても使い易いものとすることができる。
【００３４】
そして、このタン２０の下端部を前記アッパー１２の甲部上に縫い付けて固定する。
その後、全ての靴紐ガイド４１，４２，４３に挿通した靴紐Ｗの両端部を前記ベース部材３１の収納部内に通し、その靴紐Ｗの両端部をリール３２に固定したものをベース部材３１の収納部内へ入れ、さらにハンドル３３などの部材を組み付けることで、前記靴紐巻取装置３０を使用できるようにする。
従って、従来公知の製造技術にて本発明の一実施形態の靴Ｓ１を容易に製造することができる。
【００３５】
この実施形態の靴Ｓ１においては、略逆二等辺三角形状にしたタン２０を用いたが、図５（Ａ）に示すように、略Ｔ字状のタン２０ａの略中央部に靴紐巻取装置３０を装着し、チューブ状の靴紐ガイド４１，４２をタン２０ａ上部の左右方向に向けて配置したタン２０ａを用い、その下端部をアッパー１２の甲部上に固定して実施してもよい。
また、図５（Ｂ）に示すように、横長の略台形状のタン２０ｂの略中央部に靴紐巻取装置３０を装着し、チューブ状の靴紐ガイド４１，４２をタン２０ｂの左右方向に向けて配置したタン２０ｂを用い、甲部開口１３ａの上方を覆うようにして実施してもよい。
さらに、図６及び図７に示す他の実施形態の靴Ｓ２のように、略長方形状のタン２０ｃの略中央部に靴紐巻取装置３０を装着し、チューブ状の靴紐ガイド４１，４２をタンの左右方向に向けて配置したタン２０ｃを用い、甲部開口１３ａの上方を覆うようにして実施してもよい。
【００３６】
上記のように、略台形状のタン２０ｂ又は略長方形状のタン２０ｃを使用する実施形態の靴Ｓ２においては、タン２０ｂ，２０ｃを直接アッパー１２に固定することなく、履き口１３の前方の甲部開口１３ａの上に配置し、靴紐Ｗをタン２０ｂ，２０ｃに固定した靴紐ガイド４１，４２とアッパー１２に固定した略Ｕ字状の靴紐ガイド４３との間に挿通することで、タン２０ｂ，２０ｃが甲部開口１３ａの上に維持されるようにすればよい。
【００３７】
そして、前記実施形態の靴Ｓ１と同様に、タン２０ｂ，２０ｃの上に固定した靴紐巻取装置３０のハンドル３３を回転操作することで、タン２０ｂ，２０ｃの左右両端部、即ち前記靴紐ガイド４１，４２から引き出された靴紐Ｗを巻き取り、タン２０ｂ，２０ｃの左右両端部をソール１１側へ引き寄せ、履き口１３付近の甲部を斜め下方へ締め付けることによって靴Ｓ２の甲部を迅速かつ簡単に締め付けることができる。
【００３８】
本実施形態の靴Ｓ２においても、靴紐巻取装置３０を用いることで、靴紐Ｗによる足又は靴Ｓ２の締め付け力の調節も簡単に行うことができる。
さらに、前記靴Ｓ１と同様に、靴紐巻取装置３０のハンドル３３を引き上げることで、靴紐Ｗによる足の締め付けを解除するのと同時に、タン２０ｂ，２０ｃを上方へ持ち上げて履き口１３及び甲部開口１３ａを簡単かつ迅速に開いて靴Ｓ２を脱ぐことができる。
また、タン２０ｂ，２０ｃを上方へ持ち上げることで履き口１３及び甲部開口１３ａを簡単かつ迅速に開くことができるため、この実施形態の靴Ｓ２を履くのも容易である。
【００３９】
本発明は、上記実施形態に限定されるものではなく、タンの形状を左右非対称の形状としたり、野球のホームベースのような形状とするなどして適宜変更したり、タンに対する靴紐巻取装置の取付位置を上下又は左右に適宜変更して実施してもよい。
また、本発明の靴に用いることができる靴紐巻取装置としては、ハンドルを引き上げることで靴紐の締め付けを解除でき、ハンドルを押し下げることで靴紐を巻き取ることができるようになるものの他、引き上げたハンドルから手を離すことで直ちに靴紐を巻き取ることができるようになる靴紐巻取装置であってもよい。
【００４０】
さらに、本発明の靴に用いることができる靴紐巻取装置としては、ハンドルの回転方向を変更することによって、靴紐の締め付け状態を緩めたり、靴紐を締め付けたりできるものであってもよい。
その他、本発明は、その趣旨を逸脱しない範囲で、各部の構造、材質、形状、寸法、角度、設置位置、数などが異なる靴において具体化して実施してもよい。
【産業上の利用可能性】
【００４１】
本発明は、一般用の靴として、さらには、幼児、子供、老人、要介護者などに適した靴としても産業上好適に利用可能である。
【符号の説明】
【００４２】
１１    ソール
１２    アッパー
１２ａ  帯状の表地
１３    履き口
１３ａ  甲部開口
２０    タン
２０ａ  タン
２０ｂ  タン
２０ｃ  タン
２１    略逆二等辺三角形状の表地
２２    Ｖ字状の表地
２３    略逆二等辺三角形状のクッション性を有する裏地
３０    靴紐巻取装置
３１    ベース部材
３２    リール
３３    ハンドル（ダイヤル）
４１    細長いチューブ状の靴紐ガイド（長い方）
４２    細長いチューブ状の靴紐ガイド（短い方）
４３    略Ｕ字状の靴紐ガイド
４３ａ  踵側の靴紐引出口
４３ｂ  爪先側の靴紐引出口
Ｓ１    靴
Ｓ２    靴
Ｗ    靴紐
【図１】
2017169773.tif 000003
【図２】
2017169773.tif 000004
【図３】
2017169773.tif 000005
【図４】
2017169773.tif 000006
【図５】
2017169773.tif 000007
【図６】
2017169773.tif 000008
【図７】
2017169773.tif 000009